(57)【要約】【課題】  端末装置とプロジェクターが通信可能な状態で、プレゼンテーションを中断することなく、端末装置での操作によってプロジェクターを制御する場合の操作性を向上させることが可能な投写システム等を提供すること。【解決手段】  ＰＣ２００が、操作情報に基づき、指示位置を示す指示位置情報を生成する指示位置情報生成部２２０と、端末側通信部２１０と、端末側画像生成部２６０と、ウェブ画像を表示する表示部２９０を含み、プロジェクター１００が、投写側通信部１１０と、前記指示位置情報に基づき、前記指示位置を示す画像を生成する投写側画像生成部１６０と、前記指示位置情報に基づき、前記操作情報がジェスチャーを示すものであるかどうかを判定するジェスチャー判定部１３０と、ジェスチャーに応じた制御を行う制御部１７０と、前記指示位置を示す画像を生成する投写側画像生成部１６０と、前記画像を投写する投写部１９０を含んで構成される。【選択図】      図２
2010139899.tif 000002
【特許請求の範囲】
【請求項１】
少なくとも１台の端末装置と、プロジェクターとを含む投写システムにおいて、
前記端末装置は、
操作情報を生成する操作部と、
前記操作情報に基づき、指示位置を示す指示位置情報を生成する指示位置情報生成部と、
前記指示位置情報を前記プロジェクターへ向け送信する端末側通信部と、
を含み、
前記プロジェクターは、
前記指示位置情報を受信する投写側通信部と、
前記指示位置情報に基づき、前記指示位置を示す画像を生成する投写側画像生成部と、
前記指示位置情報に基づき、前記操作情報がジェスチャーを示すものであるかどうかを判定するジェスチャー判定部と、
前記操作情報がジェスチャーを示すものである場合、当該ジェスチャーに応じた制御を行う制御部と、
前記操作情報がジェスチャーを示すものでない場合、前記指示位置を示す画像を生成する投写側画像生成部と、
前記画像を投写する投写部と、
を含む、
投写システム。
【請求項２】
少なくとも１台の端末装置と、プロジェクターとを含む投写システムにおいて、
前記端末装置は、
操作情報を生成する操作部と、
前記操作情報に基づき、指示位置を示す指示位置情報を生成する指示位置情報生成部と、
前記指示位置情報に基づき、前記操作情報がジェスチャーを示すものであるかどうかを判定するジェスチャー判定部と、
前記操作情報がジェスチャーを示すものである場合、当該ジェスチャーに応じた制御を示す制御情報を生成する制御情報生成部と、
前記制御情報および前記指示位置情報を前記プロジェクターへ向け送信する端末側通信部と、
を含み、
前記プロジェクターは、
前記制御情報および前記指示位置情報を受信する投写側通信部と、
前記指示位置情報に基づき、前記指示位置を示す画像を生成する投写側画像生成部と、
前記制御情報に基づき、前記ジェスチャーに応じた制御を行う制御部と、
前記画像を投写する投写部と、
を含む、
投写システム。
【請求項３】
請求項１、２のいずれかに記載の投写システムにおいて、
前記プロジェクターは、前記指示位置を示すウェブ画像を生成するためのウェブ画像情報を生成するウェブ画像情報生成部を含み、
前記端末装置は、
前記ウェブ画像情報に基づき、前記ウェブ画像を生成する端末側画像生成部と、
前記ウェブ画像を表示する表示部と、
を含み、
前記投写側通信部は、前記ウェブ画像情報を前記端末装置へ向け送信し、
前記端末側通信部は、前記ウェブ画像情報を受信する、
投写システム。
【請求項４】
請求項３に記載の投写システムにおいて、
前記端末側通信部は、前記プロジェクターへの接続要求を示す接続要求情報を、前記プロジェクターへ向け送信し、
前記投写側通信部は、前記接続要求情報に基づき、前記ウェブ画像情報の送信先の前記端末装置を決定する、
投写システム。
【請求項５】
少なくとも１台の端末装置から操作情報に基づく指示位置を示す指示位置情報を受信する投写側通信部と、
前記指示位置情報に基づき、前記指示位置を示す画像を生成する投写側画像生成部と、
前記指示位置情報に基づき、前記操作情報がジェスチャーを示すものであるかどうかを判定するジェスチャー判定部と、
前記操作情報がジェスチャーを示すものである場合、当該ジェスチャーに応じた制御を行う制御部と、
前記操作情報がジェスチャーを示すものでない場合、前記指示位置を示す画像を生成する投写側画像生成部と、
前記画像を投写する投写部と、
を含み、
前記投写側通信部は、前記端末装置を、前記操作情報に基づき、前記指示位置情報を生成する指示位置情報生成部として機能させるためのプログラムを前記端末装置へ向け送信する、
プロジェクター。
【請求項６】
少なくとも１台の端末装置からジェスチャーに応じた制御を示す制御情報および指示位置を示す指示位置情報を受信する投写側通信部と、
前記指示位置情報に基づき、前記指示位置を示す画像を生成する投写側画像生成部と、
前記制御情報に基づき、前記ジェスチャーに応じた制御を行う制御部と、
前記画像を投写する投写部と、
を含み、
前記投写側通信部は、前記端末装置を、操作情報に基づき、前記指示位置情報を生成する指示位置情報生成部と、前記指示位置情報に基づき、前記操作情報がジェスチャーを示すものであるかどうかを判定するジェスチャー判定部と、前記操作情報がジェスチャーを示すものである場合、当該ジェスチャーに応じた制御を示す前記制御情報を生成する制御情報生成部として機能させるためのプログラムを前記端末装置へ向け送信する、
プロジェクター。
【請求項７】
投写側通信部を含むプロジェクターの有するコンピューターを、
少なくとも１台の端末装置から操作情報に基づく指示位置を示す指示位置情報を前記投写側通信部に受信させる投写側通信制御部と、
前記指示位置情報に基づき、前記指示位置を示す画像を生成する投写側画像生成部と、
前記指示位置情報に基づき、前記操作情報がジェスチャーを示すものであるかどうかを判定するジェスチャー判定部と、
前記操作情報がジェスチャーを示すものである場合、当該ジェスチャーに応じた制御を行う制御部と、
前記操作情報がジェスチャーを示すものでない場合、前記指示位置を示す画像を生成する投写側画像生成部として機能させ、
前記投写側通信制御部は、前記端末装置を、前記操作情報に基づき、前記指示位置情報を生成する指示位置情報生成部として機能させるためのプログラムを前記端末装置へ向け前記投写側通信制御部に送信させる、
プログラム。
【請求項８】
投写側通信部を含むプロジェクターの有するコンピューターを、
少なくとも１台の端末装置からジェスチャーに応じた制御を示す制御情報および指示位置を示す指示位置情報を前記投写側通信部に受信させる投写側通信制御部と、
前記指示位置情報に基づき、前記指示位置を示す画像を生成する投写側画像生成部と、
前記制御情報に基づき、前記ジェスチャーに応じた制御を行う制御部として機能させ、
前記投写側通信制御部は、前記端末装置を、操作情報に基づき、前記指示位置情報を生成する指示位置情報生成部と、前記指示位置情報に基づき、前記操作情報がジェスチャーを示すものであるかどうかを判定するジェスチャー判定部と、前記操作情報がジェスチャーを示すものである場合、当該ジェスチャーに応じた制御を示す前記制御情報を生成する制御情報生成部として機能させるためのプログラムを前記端末装置へ向け前記投写側通信部に送信させる、
プログラム。
【請求項９】
投写側通信部を含むプロジェクターの有するコンピューターにより読み取り可能なプログラムを記憶した情報記憶媒体であって、
請求項７、８のいずれかのプログラムを記憶した、
情報記憶媒体。
【発明の詳細な説明】
【技術分野】
【０００１】
本発明は、投写システム、プロジェクター、プログラムおよび情報記憶媒体に関する。
【背景技術】
【０００２】
ユーザーは、プロジェクターを用いて画像を投写している状況で画像の拡大等を行うためには、リモコン（リモートコントローラー）を用いたボタン操作によってＯＳＤ(On Screen Display)画像を投写しなければならなかった。しかし、プロジェクターの場合、１つの画像を多数の聴衆が観察しており、このような状況でプレゼンテーション画像とは異なるＯＳＤ画像を投写することは、情報の視認性を低下させる上、プレゼンテーションを中断することになるため、好ましくない。
【０００３】
また、例えば、特開２００８−１５４０２号公報では、携帯電話またはＰＣ(P ersonal Computer)とプロジェクターを用いた投写システムで、投写されている画像の拡大または縮小を行うためにプロジェクターの操作部やリモコンを用いることが記載されている。
【特許文献１】特開２００８−１５４０２号公報
【発明の開示】
【発明が解決しようとする課題】
【０００４】
しかし、ＰＣや携帯電話を操作している状況で画像の拡大等を行うためには、ユーザーは、ＰＣに接続されたマウスや携帯電話とリモコンを持ち替えて操作する必要があり、操作が煩雑となる。
【０００５】
本発明の目的は、端末装置とプロジェクターとが通信可能な状態で、プレゼンテーションを中断することなく、端末装置での操作によってプロジェクターを制御する場合の操作性を向上させることが可能な投写システム、プロジェクター、プログラムおよび情報記憶媒体を提供することにある。
【課題を解決するための手段】
【０００６】
上記課題を解決するため、本発明に係る投写システムは、少なくとも１台の端末装置と、プロジェクターとを含む投写システムにおいて、前記端末装置は、操作情報を生成する操作部と、前記操作情報に基づき、指示位置を示す指示位置情報を生成する指示位置情報生成部と、前記指示位置情報を前記プロジェクターへ向け送信する端末側通信部と、を含み、前記プロジェクターは、前記指示位置情報を受信する投写側通信部と、前記指示位置情報に基づき、前記指示位置を示す画像を生成する投写側画像生成部と、前記指示位置情報に基づき、前記操作情報がジェスチャーを示すものであるかどうかを判定するジェスチャー判定部と、前記操作情報がジェスチャーを示すものである場合、当該ジェスチャーに応じた制御を行う制御部と、前記操作情報がジェスチャーを示すものでない場合、前記指示位置を示す画像を生成する投写側画像生成部と、前記画像を投写する投写部と、を含むことを特徴とする。
【０００７】
また、本発明に係るプロジェクターは、少なくとも１台の端末装置から操作情報に基づく指示位置を示す指示位置情報を受信する投写側通信部と、前記指示位置情報に基づき、前記指示位置を示す画像を生成する投写側画像生成部と、前記指示位置情報に基づき、前記操作情報がジェスチャーを示すものであるかどうかを判定するジェスチャー判定部と、前記操作情報がジェスチャーを示すものである場合、当該ジェスチャーに応じた制御を行う制御部と、前記操作情報がジェスチャーを示すものでない場合、前記指示位置を示す画像を生成する投写側画像生成部と、前記画像を投写する投写部と、を含み、前記投写側通信部は、前記端末装置を、前記操作情報に基づき、前記指示位置情報を生成する指示位置情報生成部として機能させるためのプログラムを前記端末装置へ向け送信することを特徴とする。
【０００８】
また、本発明に係るプログラムは、投写側通信部を含むプロジェクターの有するコンピューターを、少なくとも１台の端末装置から操作情報に基づく指示位置を示す指示位置情報を前記投写側通信部に受信させる投写側通信制御部と、前記指示位置情報に基づき、前記指示位置を示す画像を生成する投写側画像生成部と、前記指示位置情報に基づき、前記操作情報がジェスチャーを示すものであるかどうかを判定するジェスチャー判定部と、前記操作情報がジェスチャーを示すものである場合、当該ジェスチャーに応じた制御を行う制御部と、前記操作情報がジェスチャーを示すものでない場合、前記指示位置を示す画像を生成する投写側画像生成部として機能させ、前記投写側通信制御部は、前記端末装置を、前記操作情報に基づき、前記指示位置情報を生成する指示位置情報生成部として機能させるためのプログラムを前記端末装置へ向け前記投写側通信制御部に送信させることを特徴とする。
【０００９】
また、本発明に係る情報記憶媒体は、投写側通信部を含むプロジェクターの有するコンピューターにより読み取り可能なプログラムを記憶した情報記憶媒体であって、上記プログラムを記憶したことを特徴とする。
【００１０】
本発明によれば、投写システム等は、端末装置からの指示位置情報に基づき、指示位置を示す画像を生成するとともに、ジェスチャーに応じた制御を行うことができるため、端末装置とプロジェクターとが通信可能な状態で、プレゼンテーションを中断することなく、端末装置での操作によってプロジェクターを制御する場合の操作性を向上させることができる。
【００１１】
また、本発明によれば、端末装置は、プログラムを自動的にダウンロードすることによって指示位置情報生成部として機能することができるため、ユーザーは、複雑な操作を行うことなく、プロジェクターの制御等を行うことができる。
【００１２】
また、本発明に係る投写システムは、少なくとも１台の端末装置と、プロジェクターとを含む投写システムにおいて、前記端末装置は、操作情報を生成する操作部と、前記操作情報に基づき、指示位置を示す指示位置情報を生成する指示位置情報生成部と、前記指示位置情報に基づき、前記操作情報がジェスチャーを示すものであるかどうかを判定するジェスチャー判定部と、前記操作情報がジェスチャーを示すものである場合、当該ジェスチャーに応じた制御を示す制御情報を生成する制御情報生成部と、前記制御情報および前記指示位置情報を前記プロジェクターへ向け送信する端末側通信部と、を含み、前記プロジェクターは、前記制御情報および前記指示位置情報を受信する投写側通信部と、前記指示位置情報に基づき、前記指示位置を示す画像を生成する投写側画像生成部と、前記制御情報に基づき、前記ジェスチャーに応じた制御を行う制御部と、前記画像を投写する投写部と、を含むことを特徴とする。
【００１３】
また、本発明に係るプロジェクターは、少なくとも１台の端末装置からジェスチャーに応じた制御を示す制御情報および指示位置を示す指示位置情報を受信する投写側通信部と、前記指示位置情報に基づき、前記指示位置を示す画像を生成する投写側画像生成部と、前記制御情報に基づき、前記ジェスチャーに応じた制御を行う制御部と、前記画像を投写する投写部と、を含み、前記投写側通信部は、前記端末装置を、操作情報に基づき、前記指示位置情報を生成する指示位置情報生成部と、前記指示位置情報に基づき、前記操作情報がジェスチャーを示すものであるかどうかを判定するジェスチャー判定部と、前記操作情報がジェスチャーを示すものである場合、当該ジェスチャーに応じた制御を示す前記制御情報を生成する制御情報生成部として機能させるためのプログラムを前記端末装置へ向け送信することを特徴とする。
【００１４】
また、本発明に係るプログラムは、投写側通信部を含むプロジェクターの有するコンピューターを、少なくとも１台の端末装置からジェスチャーに応じた制御を示す制御情報および指示位置を示す指示位置情報を前記投写側通信部に受信させる投写側通信制御部と、前記指示位置情報に基づき、前記指示位置を示す画像を生成する投写側画像生成部と、前記制御情報に基づき、前記ジェスチャーに応じた制御を行う制御部として機能させ、前記投写側通信制御部は、前記端末装置を、操作情報に基づき、前記指示位置情報を生成する指示位置情報生成部と、前記指示位置情報に基づき、前記操作情報がジェスチャーを示すものであるかどうかを判定するジェスチャー判定部と、前記操作情報がジェスチャーを示すものである場合、当該ジェスチャーに応じた制御を示す前記制御情報を生成する制御情報生成部として機能させるためのプログラムを前記端末装置へ向け前記投写側通信部に送信させることを特徴とする。
【００１５】
また、本発明に係る情報記憶媒体は、投写側通信部を含むプロジェクターの有するコンピューターにより読み取り可能なプログラムを記憶した情報記憶媒体であって、上記プログラムを記憶したことを特徴とする。
【００１６】
本発明によれば、投写システムは、端末装置からの指示位置情報に基づいて指示位置を示す画像を生成するとともに、端末装置からの制御情報に基づいてジェスチャーに応じた制御を行うことができるため、端末装置とプロジェクターとが通信可能な状態で、プレゼンテーションを中断することなく、端末装置での操作によってプロジェクターを制御する場合の操作性を向上させることができる。
【００１７】
また、本発明によれば、端末装置は、プログラムを自動的にダウンロードすることによって指示位置情報生成部等として機能することができるため、ユーザーは、複雑な操作を行うことなく、プロジェクターの制御等を行うことができる。
【００１８】
また、前記プロジェクターは、前記指示位置を示すウェブ画像を生成するためのウェブ画像情報を生成するウェブ画像情報生成部を含み、前記端末装置は、前記ウェブ画像情報に基づき、前記ウェブ画像を生成する端末側画像生成部と、前記ウェブ画像を表示する表示部と、を含み、前記投写側通信部は、前記ウェブ画像情報を前記端末装置へ向け送信し、前記端末側通信部は、前記ウェブ画像情報を受信してもよい。
【００１９】
これによれば、端末装置は、指示位置を示すウェブ画像を表示することができるため、例えば、他の端末装置における操作によって指示位置が更新されたウェブ画像も表示することができる。
【００２０】
また、前記端末側通信部は、前記プロジェクターへの接続要求を示す接続要求情報を、前記プロジェクターへ向け送信し、前記投写側通信部は、前記接続要求情報に基づき、前記ウェブ画像情報の送信先の前記端末装置を決定してもよい。
【００２１】
これによれば、プロジェクター等は、あらかじめ端末装置を特定することなく、接続要求情報に応じてウェブ画像情報の送信先の端末装置を決定することができるため、より柔軟に情報を送受信することができる。
【発明を実施するための最良の形態】
【００２２】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２３】
（第１の実施例）
図１は、第１の実施例における投写状況を示す図である。投写システムは、プロジェクター１００と、端末装置の一種であるＰＣ２００を含んで構成されている。プロジェクター１００は、ＰＣ２００−１〜２００−３と無線で接続されており、スクリーン１０に画像２０を投写する。また、各ＰＣ２００は、プロジェクター１００からウェブ画像情報を受信することにより、画像２０と同様の画像を表示する。
【００２４】
ユーザーは、ノート型のＰＣ２００のタッチパッド（トラックパッドともいう。）を用いて画像２０における指示位置を示すカーソルの移動やプロジェクター１００の電源オフといった種々の制御を行う。
【００２５】
次に、このような機能を有するプロジェクター１００とＰＣ２００の機能ブロックについて説明する。図２は、第１の実施例におけるプロジェクター１００とＰＣ２００の機能ブロック図である。
【００２６】
プロジェクター１００は、ＰＣ２００との通信を行う投写側通信部１１０と、ウェブ画像情報等を生成するウェブ画像情報生成部１２０と、指示位置情報に基づき、操作情報がジェスチャーを示すものであるかどうかを判定するジェスチャー判定部１３０と、画像データ１４２、ジェスチャー判定データ１４４等を記憶する記憶部１４０を含んで構成されている。
【００２７】
なお、ジェスチャー判定データ１４４の項目としては、例えば、操作情報の生成元の装置種別を示す「種別」、ジェスチャーの操作内容および操作領域を示す「ジェスチャー内容」、当該ジェスチャーによる制御内容を示す「制御内容」等が該当する。
【００２８】
また、プロジェクター１００は、操作情報がジェスチャーを示すものである場合、当該ジェスチャーに応じた制御を行う制御部１７０と、操作情報がジェスチャーを示すものでない場合、指示位置情報に基づき、指示位置を示す画像２０を生成する投写側画像生成部１６０と、画像２０を投写する投写部１９０を含んで構成されている。
【００２９】
また、ＰＣ２００は、プロジェクター１００との通信を行う端末側通信部２１０と、ユーザーの操作に応じて操作情報を生成する操作部２７０と、操作情報に基づき、指示位置情報を生成する指示位置情報生成部２２０と、ウェブ画像情報に基づき、ウェブ画像を生成する端末側画像生成部２６０と、ウェブ画像を表示する表示部２９０を含んで構成されている。
【００３０】
なお、プロジェクター１００は、これらの各部の機能を、以下のハードウェアを用いて実装してもよい。例えば、プロジェクター１００は、投写側通信部１１０は無線ＬＡＮユニット等、ジェスチャー判定部１３０、制御部１７０はＣＰＵ等、記憶部１４０はＲＡＭ等、投写側画像生成部１６０は画像処理回路等、投写部１９０はランプ、液晶パネル、液晶駆動回路、レンズ等を用いて実装してもよい。
【００３１】
また、プロジェクター１００は、ジェスチャー判定部１３０等の機能を情報記憶媒体５００に記憶されたプログラムを読み取って実装してもよい。このような情報記憶媒体５００としては、例えば、ＣＤ−ＲＯＭ、ＤＶＤ−ＲＯＭ、ＲＯＭ、ＲＡＭ、ＨＤＤ等を適用できる。
【００３２】
また、ＰＣ２００は、これらの各部の機能を、以下のハードウェアを用いて実装してもよい。例えば、ＰＣ２００は、操作部２７０はタッチパッド、マウス等、端末側通信部２１０は無線ＬＡＮユニット等、指示位置情報生成部２２０はＣＰＵ等、端末側画像生成部２６０は画像処理回路等、表示部２９０は液晶パネル、液晶駆動回路等を用いて実装してもよい。
【００３３】
次に、これらの各部を用いた画像の投写手順について説明する。図３は、第１の実施例におけるＰＣ２００での処理手順を示すフローチャートである。また、図４は、第１の実施例におけるプロジェクター１００での処理手順を示すフローチャートである。
【００３４】
ユーザーは、例えば、ＰＣ２００のブラウザーを起動してアドレス欄に「http://192.169.100.1/」とプロジェクター１００のＩＰアドレスを入力してＰＣ２００をプロジェクター１００に接続する。端末側通信部２１０は、当該入力に応じてプロジェクター１００へ向け送信要求情報を送信する（ステップＳ１）。
【００３５】
投写側通信部１１０は、当該送信要求情報を受信する。ウェブ画像情報生成部１２０は、送信要求があったかどうかを判定する（ステップＰ１）。送信要求があった場合、ウェブ画像情報生成部１２０は、ブラウザーでウェブ画像を表示することが可能なＨＴＭＬ形式のウェブ画像情報を生成し、投写側通信部１１０は、当該ウェブ画像情報を、送信要求情報の送信元のＰＣ２００へ向け送信する（ステップＰ２）。
【００３６】
なお、投写側通信部１１０は、送信要求情報に基づいてウェブ画像情報の送信先のＰＣ２００のＩＰアドレス等を把握してもよい。また、初回のウェブ画像情報は、例えば、ＰＣ２００を指示位置情報生成部２２０として機能させるためのプログラム（具体的には、例えば、プレゼンテーションソフトウェアをブラウザーで実行するプログラム、クライアントサーバー非同期通信プログラム等）を含んでもよい。
【００３７】
端末側通信部２１０は、プロジェクター１００からのウェブ画像情報を受信する（ステップＳ２）。端末側画像生成部２６０は、ウェブ画像情報に基づき、ブラウザーによって表示可能なウェブ画像を生成し、表示部２９０はウェブ画像を表示する（ステップＳ３）。なお、ＰＣ２００−１〜２００−３が上述したステップＳ１〜Ｓ３を実行することにより、各ＰＣ２００で同一のウェブ画像を表示することができる。
【００３８】
ユーザーは、ＰＣ２００のタッチパッドを操作して画像２０における指示位置を示すカーソルの移動等を行う。指示位置情報生成部２２０は、操作部２７０からの情報に基づき、操作があったかどうかを判定する（ステップＳ４）。操作があった場合、指示位置情報生成部２２０は、操作部２７０からの操作情報に基づき、指示位置を示す指示位置情報を生成する（ステップＳ５）。
【００３９】
なお、例えば、ユーザーが、タッチパッドに指先を押しつけた際の操作情報は、クリックイベントが発生したこと、タッチパッドにおける押圧位置等を示す情報になる。また、例えば、ユーザーが、タッチパッドに指先を押しつけたまま指先を移動させた際の操作情報は、ドラッグ状態であること、タッチパッドにおける押圧位置等を示す情報になる。また、例えば、ユーザーが、タッチパッドから指先を離した際の操作情報は、ドラッグ解除イベントが発生したこと、ドラッグ解除直前の押圧位置等を示す情報になる。
【００４０】
また、指示位置情報は、例えば、装置種別がタッチパッドであること、イベント、タッチパッドにおける押圧位置等を示す情報になる。例えば、タッチパッドに指先を押しつけた際の指示位置情報は、装置種別がタッチパッドであること、クリックイベントが発生したこと、タッチパッドにおける押圧位置（機種に応じて共通座標に座標変換したもの）等を示す情報になる。
【００４１】
端末側通信部２１０は、指示位置情報生成部２２０からの指示位置情報をプロジェクター１００へ向け送信する（ステップＳ６）。
【００４２】
ジェスチャー判定部１３０は、投写側通信部１１０によって指示位置情報が受信されたかどうかを判定する（ステップＰ３）。なお、送信要求がなかった場合や指示位置情報が受信されなかった場合、投写側画像生成部１６０は、画像データ１４２（あらかじめ記憶された画像データであってもよいし、ＤＶＤプレーヤー等からの画像信号等であってもよい。）に基づき、画像２０を生成する（ステップＰ４）。
【００４３】
指示位置情報が受信された場合、ジェスチャー判定部１３０は、指示位置情報と、ジェスチャー判定データ１４４に基づき、操作情報がジェスチャーを示すものであるかどうかを判定する（ステップＰ５）。例えば、ジェスチャー判定部１３０は、指示位置情報で示される装置種別と一致する「種別」をジェスチャー判定データ１４４から検索し、指示位置情報で示される操作内容と一致する「ジェスチャー内容」を当該種別が該当するジェスチャー判定データ１４４から検索する。
【００４４】
操作情報がジェスチャーを示すものである場合、制御部１７０は、当該ジェスチャーに応じた制御を行う（ステップＰ６）。一方、操作情報がジェスチャーを示すものでない場合、投写側画像生成部１６０は、指示位置情報に基づき、指示位置の軌跡を示す画像２０を生成する（ステップＰ７）。投写部１９０は、画像２０を投写する（ステップＰ８）。
【００４５】
図５は、第１の実施例における軌跡４００を含む画像３００を示す図である。また、図６は、第１の実施例における他の軌跡４０１を含む画像３０１を示す図である。また、図７は、第１の実施例におけるハイライト４２０を含む画像３０２を示す図である。
【００４６】
例えば、投写側画像生成部１６０は、指示位置の変化に応じて現在の指示位置を示すカーソル４１０とカーソル４１０の軌跡４００を示す画像３００を生成する。また、図６に示すように、文字の部分がＬ字状の軌跡４０１で囲まれる場合、ドラッグ状態が解除された時点でジェスチャーとして判定され、投写側画像生成部１６０は、制御部１７０からの制御情報と、画像データ１４２に基づき、画像３０２にハイライト４２０を付加する。これにより、図７に示すように、軌跡４０１で囲まれた部分がハイライト４２０（例えば、文字の背景に蛍光色の矩形を配置等）になる。
【００４７】
なお、端末側通信部２１０は、一定時間（例えば、０．５秒、１秒等）ごとに送信要求情報を送信し、ウェブ画像情報を受信してもよい。これにより、各ＰＣ２００は、カーソル４１０、軌跡４００、ハイライト４２０等の表示される画像３００〜３０２をほぼリアルタイムに表示することができる。
【００４８】
プロジェクター１００およびＰＣ２００は終了操作等によって処理を終了すべきかどうかを判定し（ステップＳ７、Ｐ９）、処理を終了すべき場合は処理を終了し、処理を終了すべきでない場合は処理を続行する。
【００４９】
以上のように、本実施例によれば、プロジェクター１００は、ＰＣ２００からの指示位置情報に基づき、指示位置を示す画像３００、３０１を生成するとともに、ジェスチャーに応じた制御を行うことができるため、ユーザーは、プレゼンテーションを中断することなく、ＰＣ２００での操作によってプロジェクター１００を容易に制御することができる。
【００５０】
また、本実施例によれば、ユーザーは、ＰＣ２００を操作する際に、プレゼンテーションモードと制御モードとを切り替えることなく、指示位置の表示や種々の制御を行うことができる。
【００５１】
また、本実施例によれば、ＰＣ２００は、プログラムを自動的にダウンロードすることによって指示位置情報生成部２２０として機能することもできるため、ユーザーは、複雑な操作を行うことなく、プロジェクター１００の制御等を行うことができる。
【００５２】
また、本実施例によれば、ＰＣ２００は、他のＰＣ２００における操作によって指示位置が更新されたウェブ画像を表示することができる。これにより、ユーザーは、他のＰＣ２００が遠隔地に配置されている場合であっても、他のユーザーに指示位置等を示すことができ、遠隔制御も行いやすい。
【００５３】
また、本実施例によれば、プロジェクター１００は、あらかじめＰＣ２００を特定することなく、接続要求情報に応じてウェブ画像情報の送信先のＰＣ２００を決定することができるため、より柔軟に情報を送受信することができる。
【００５４】
また、本実施例によれば、プロジェクター１００は、画像データ１４２、ジェスチャー判定データ１４４を用いることにより、種々の制御や装飾に対応することができるとともに、これらのデータを更新することにより、仕様の拡張、変更等にも柔軟に対応することができる。
【００５５】
（第２の実施例）
第１の実施例では、複数のＰＣ２００−１〜２００−３がプロジェクター１００と接続されていたが、プロジェクター１００と１台のＰＣが接続される投写システムであってもよい。また、第１の実施例ではプロジェクター１００のジェスチャー判定部１３０がジェスチャーの判定を行ったが、ＰＣ２００がジェスチャーを判定してもよい。
【００５６】
図８は、第２の実施例における投写状況を示す図である。プロジェクター１０１は、端末装置の一種であるＰＣ２０１と無線で接続されており、スクリーン１０に画像２０を投写する。ＰＣ２０１は、プロジェクター１０１からのウェブ画像情報に基づき、画像２０と同様の画像を表示する。
【００５７】
図９は、第２の実施例におけるプロジェクター１０１とＰＣ２０１の機能ブロック図である。プロジェクター１０１は、プロジェクター１００とほぼ同様の構成であるが、ジェスチャー判定部１３０、ジェスチャー判定データ１４４を有しておらず、制御部１７１がＰＣ２０１からの制御情報に基づいて制御を行う点でプロジェクター１００と相違している。なお、プロジェクター１０１は、情報記憶媒体５０１からプログラムを読み取って制御部１７１等として機能してもよい。
【００５８】
また、ＰＣ２０１は、ＰＣ２００とほぼ同様の構成であるが、ジェスチャー判定部２３０と、ジェスチャー判定データ２４４を記憶する記憶部２４０と、制御情報生成部２８０を有し、指示位置情報生成部２２１がジェスチャー判定部２３０に指示位置情報を出力する点でＰＣ２００と相違している。
【００５９】
指示位置情報生成部２２１は、操作部２７０からの操作情報に基づき、指示位置情報を生成する。ジェスチャー判定部２３０は、指示位置情報と、ジェスチャー判定データ２４４に基づき、操作情報がジェスチャーを示すものであるかどうかを判定する。
【００６０】
制御情報生成部２８０は、操作情報がジェスチャーを示すものである場合、当該ジェスチャーに応じた制御内容を示す制御情報を生成し、端末側通信部２１０は、当該制御情報をプロジェクター１００へ向け送信する。一方、操作情報がジェスチャーを示すものでない場合、端末側通信部２１０は、指示位置情報をプロジェクター１００へ向け送信する。
【００６１】
投写側通信部１１０は、制御情報および指示位置情報を受信するとともに、ウェブ画像情報をＰＣ２０１へ向け送信する。制御部１７１は、制御情報に基づき、ジェスチャーに応じた制御を行う。投写側画像生成部１６０は、指示位置情報と、画像データ１４２に基づき、カーソル４１０等を示す画像を生成し、投写部１９０は、当該画像を投写する。
【００６２】
以上のように、本実施例によっても、プロジェクター１０１は、第１の実施例と同様の作用効果を奏する。
【００６３】
なお、投写側通信部１１０は、ＰＣ２０１から初回の送信要求があった場合に指示位置情報生成部２２１、ジェスチャー判定部２３０、制御情報生成部２８０として機能させるためのプログラムを含むウェブ画像情報をＰＣ２０１へ向け送信してもよい。
【００６４】
これによれば、ＰＣ２０１は、プログラムを自動的にダウンロードすることによって指示位置情報生成部２２１、ジェスチャー判定部２３０、制御情報生成部２８０として機能することができるため、ユーザーは、複雑な操作を行うことなく、プロジェクター１０１の制御等を行うことができる。
【００６５】
（その他の実施例）
なお、本発明の適用は上述した実施例に限定されず、種々の変形が可能である。例えば、制御内容はハイライト４２０の付加には限定されず、例えば、画像の拡大、画像の縮小、画像の回転、次の画像の表示、前の画像の表示、データの保存、データの読み取り、画像情報の供給装置の変更（いわゆるソース切替）、文字列の追加（コメントの付加）、軌跡４００、４０１の消去、プロジェクター１００、１０１の電源オンまたは電源オフ等であってもよい。ユーザーは、これらの制御を行う場合であっても、ＰＣ２００、２０１のタッチパッドだけを操作すればよいため、中断することなくプレゼンテーションを行うことができる。
【００６６】
また、指示位置を示す画像は、軌跡４００、４０１やカーソル４１０を示す画像には限定されず、例えば、指示位置を反転させて示す画像、指示位置を点滅させて示す画像、指示位置をハイライト表示して示す画像等であってもよい。
【００６７】
また、制御対象はプロジェクター１００、１０１には限定されず、ＰＣ２００、２０１は、プロジェクター１００、１０１以外の装置を制御してもよい。例えば、プロジェクター１００、１０１とＤＶＤプレーヤー等がＨＤＭＩケーブルで接続されている場合、ＰＣ２００、２０１は、プロジェクター１００、１０１にＣＥＣ(Consumer Electronics Control)制御信号をＤＶＤプレーヤー等に出力させてＤＶＤプレーヤー等の再生、停止等を制御させることにより、ＤＶＤプレーヤー等を遠隔制御してもよい。
【００６８】
また、操作情報を生成する装置は、タッチパッドには限定されず、例えば、ペンタブレット、液晶ペンタブレット、トラックボール、マウス等でもよい。また、操作情報の生成装置が１種類である場合、上述した種別の通知、共通座標への変換等は行われなくてもよい。また、操作部２７０および指示位置情報生成部２２０、２２１は一体化されてもよく、例えば、指示位置情報生成部がペンタブレット等から操作情報を入力して指示位置情報を生成してもよい。
【００６９】
また、プロジェクター１００、１０１の用途は会議等には限定されず、例えば、壁面ディスプレイ、テレビ放送等であってもよい。また、プロジェクター１００、１０１は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。
【００７０】
また、端末装置は、ノート型のＰＣ２００、２０１には限定されず、例えば、デスクトップ型のＰＣ、携帯電話、ゲーム装置等であってもよい。また、端末側画像生成部２６０、制御情報生成部２８０、ウェブ画像情報生成部１２０は必須ではなく、端末装置は指示位置情報の送信のみを行い、ユーザーは、プロジェクター１００によって表示される画像２０によって指示位置の確認を行ってもよい。
【００７１】
また、プロジェクター１００、１０１とＰＣ２００、２０１との通信路は、無線の通信路には限定されず、有線の通信路であってもよく、無線の通信路と有線の通信路が混在してもよい。
【図面の簡単な説明】
【００７２】
【図１】第１の実施例における投写状況を示す図である。
【図２】第１の実施例におけるプロジェクターとＰＣの機能ブロック図である。
【図３】第１の実施例におけるＰＣでの処理手順を示すフローチャートである。
【図４】第１の実施例におけるプロジェクターでの処理手順を示すフローチャートである。
【図５】第１の実施例における軌跡を含む画像を示す図である。
【図６】第１の実施例における他の軌跡を含む画像を示す図である。
【図７】第１の実施例におけるハイライトを含む画像を示す図である。
【図８】第２の実施例における投写状況を示す図である。
【図９】第２の実施例におけるプロジェクターとＰＣの機能ブロック図である。
【符号の説明】
【００７３】
１００、１０１  プロジェクター、１１０  投写側通信部、１２０  ウェブ画像情報生成部、１３０、２３０  ジェスチャー判定部、１４０、２４０  記憶部、１４２  画像データ、１４４、２４４  ジェスチャー判定データ、１６０  投写側画像生成部、１７０、１７１  制御部、１９０  投写部、２００、２０１  ＰＣ（端末装置）、２１０  端末側通信部、２２０、２２１  指示位置情報生成部、２６０  端末側画像生成部、２９０  表示部、３００〜３０２  画像、４００、４０１  軌跡、４１０  カーソル、４２０  ハイライト、５００、５０１  情報記憶媒体
【図１】
2010139899.tif 000003
【図２】
2010139899.tif 000004
【図３】
2010139899.tif 000005
【図４】
2010139899.tif 000006
【図５】
2010139899.tif 000007
【図６】
2010139899.tif 000008
【図７】
2010139899.tif 000009
【図８】
2010139899.tif 000010
【図９】
2010139899.tif 000011